(57)【要約】【課題】容易に設定情報を新規の携帯電話機に移し変えて、利用者の利便性を向上させる。【解決手段】携帯電話機１と通信可能なネットワークに接続されたデータベース４に、製造番号及び設定情報を電話番号に対応付けて登録する情報登録部１２と、携帯電話機１にＳＩＭカード２が挿入されると、ＳＩＭカード２と携帯電話機１とのペアリングが変わったか否かを判定するペアリング判定部１４と、ペアリングが変わったと判定すると、携帯電話機１に挿入されたＳＩＭカード２に設定された電話番号に対応付けて登録された設定情報をデータベース４から読み出す情報読出部１５と、を有する。これにより、ＳＩＭカード２が別の携帯電話機１に差し替えられると、データベースから設定情報が読み出されるため、容易に設定情報を移し替えることができ、利用者の利便性を向上することができる。【選択図】図１
2008206061.tif 000002
【特許請求の範囲】
【請求項１】
利用者を特定する利用者情報を記憶する利用者識別媒体が挿入可能な移動通信端末において、
前記移動通信端末に前記利用者識別媒体が挿入されると、前記利用者識別媒体と前記利用者識別媒体が挿入される前記移動通信端末とのペアリングが変わったか否かを判定するペアリング判定部と、
前記ペアリング判定部で前記ペアリングが変わったと判定された場合、前記移動通信端末と通信可能なネットワークに接続されて前記移動通信端末の設定情報が前記利用者情報に対応付けて登録されているデータベースから、前記移動通信端末に挿入された前記利用者識別媒体に記憶されている利用者情報に対応付けて登録された前記設定情報を前記データベースから読み出す情報読出部と、を有することを特徴とする移動通信端末。
【請求項２】
前記ペアリング判定部は、前記利用者識別媒体に登録されている前記移動通信端末を特定する前記移動通信端末情報と前記利用者識別媒体が挿入された前記移動通信端末の前記移動通信端末情報とを比較し、これらの移動通信端末情報が異なる場合に、前記ペアリングが変わったと判定することを特徴とする請求項１に記載の移動通信端末。
【請求項３】
前記ペアリング判定部は、前記移動通信端末に登録されている前記利用者情報と前記移動通信端末に挿入された前記利用者識別媒体の前記利用者情報とを比較し、これらの利用者情報が異なる場合に、前記ペアリングが変わったと判定することを特徴とする請求項１に記載の移動通信端末。
【請求項４】
前記利用者情報は、電話番号を含む情報であることを特徴とする請求項１〜３の何れか１項に記載の移動通信端末。
【請求項５】
前記移動通信端末情報は、製造番号を含む情報であることを特徴とする請求項２又は３に記載の移動通信端末。
【請求項６】
前記情報読出部は、前記利用者識別媒体が挿入される前記移動通信端末の機種が変わった場合、前記設定情報を、前記利用者識別媒体が挿入されている前記移動通信端末のデータ形式に読み替えて読み出すことを特徴とする請求項１〜５の何れか１項に記載の移動通信端末。
【請求項７】
利用者を特定する利用者情報を記憶する利用者識別媒体が挿入可能な移動通信端末の情報通信方法において、
前記移動通信端末に前記利用者識別媒体が挿入されると、前記利用者識別媒体と前記利用者識別媒体が挿入される前記移動通信端末とのペアリングが変わったか否かを判定するペアリング判定ステップと、
前記ペアリング判定ステップで前記ペアリングが変わったと判定した場合、前記移動通信端末の設定情報が前記利用者情報に対応付けて登録されている前記データベースから、前記移動通信端末に挿入された前記利用者識別媒体の利用者情報に対応付けて登録された前記設定情報を読み出す情報読出ステップと、を有することを特徴とする情報通信方法。
【請求項８】
利用者を特定する利用者情報を記憶する利用者識別媒体が挿入可能な移動通信端末と、前記移動通信端末と通信可能なネットワークに接続されたサーバとを有する情報通信システムにおいて、
前記移動通信端末は、
前記移動通信端末に前記利用者識別媒体が挿入されると、前記利用者情報及び前記移動通信端末情報を、前記サーバに送信する情報送信部と、を有し、
前記サーバは、
前記移動通信端末と通信可能なネットワークに接続されて前記移動通信端末の設定情報が前記利用者情報に対応付けて登録されているデータベースと、
前記移動通信端末の前記情報送信部から送信されてくる前記利用者情報及び前記移動通信端末情報と、前記データベースに登録されている前記利用者情報及び前記移動通信端末情報とを用いて、前記移動通信端末と前記利用者識別媒体とのペアリングが変わったか否かを判定するペアリング判定部と、
前記ペアリング判定部で前記ペアリングが変わったと判定した場合、前記利用者情報に対応付けて登録されている前記設定情報を前記データベースから読み出す情報読出部と、
前記情報読出部で読み出した前記設定情報を前記移動通信端末に送信する設定情報送信部と、を有することを特徴とする情報通信システム。
【発明の詳細な説明】
【技術分野】
【０００１】
本発明は、移動通信端末、情報通信方法および情報通信システムに関する。
【背景技術】
【０００２】
従来、携帯電話機などの移動通信端末は、電話機としての通信手段を有しており、製造番号や機種情報などの移動通信端末情報と、電話帳や機能設定情報などの設定情報とが記憶されている。そして、この移動通信端末に、電話番号などのＳＩＭカード情報が記憶されたＳＩＭカード（例えば、ＦＯＭＡカード（ＦＯＭＡは登録商標））が挿入されることで、移動通信端末は通信が可能となる。
【０００３】
このため、新規の移動通信端末に変更する場合は、旧移動通信端末に挿入されていたＳＩＭカードを新規の移動通信端末に差し替えることで、旧移動通信端末で使用していた電話番号を維持しながら、容易に新規の電話機に変更することが可能となる。
【特許文献１】特開２００４−２８９６９２号公報
【発明の開示】
【発明が解決しようとする課題】
【０００４】
しかしながら、従来の移動通信端末では、ＳＩＭカード等の利用者を特定する利用者情報を記憶する利用者識別媒体を新規の移動通信端末に挿入しても、旧移動通信端末に記憶していた設定情報を新規の移動通信端末に自動的に移すことができなかった。そのため、移動通信端末の利用者は、移動通信端末に備えられているＩｒＤＡによる赤外線通信機能によって設定情報を移し替えるか、販売店に赴いて販売店に設定してあるコピー装置などで設定情報を移し替える必要があるため、設定情報の移行に、非常に手間と時間がかかるという問題があった。
【０００５】
そこで、本発明は、上述した課題を解決するために、容易に設定情報を移し替えることができ、利用者の利便性を向上することができる移動通信端末、情報通信方法および情報通信システムを提供することを目的とする。
【課題を解決するための手段】
【０００６】
本発明は、利用者を特定する利用者情報を記憶する利用者識別媒体が挿入可能な移動通信端末において、移動通信端末に利用者識別媒体が挿入されると、利用者識別媒体と利用者識別媒体が挿入される移動通信端末とのペアリングが変わったか否かを判定するペアリング判定部と、ペアリング判定部でペアリングが変わったと判定された場合、移動通信端末と通信可能なネットワークに接続されて移動通信端末の設定情報が利用者情報に対応付けて登録されているデータベースから、移動通信端末に挿入された利用者識別媒体に記憶されている利用者情報に対応付けて登録された設定情報をデータベースから読み出す情報読出部と、を有することを特徴とする。
【０００７】
また、本発明は、利用者を特定する利用者情報を記憶する利用者識別媒体が挿入可能な移動通信端末の情報通信方法において、移動通信端末に利用者識別媒体が挿入されると、利用者識別媒体と利用者識別媒体が挿入される移動通信端末とのペアリングが変わったか否かを判定するペアリング判定ステップと、ペアリング判定ステップでペアリングが変わったと判定した場合、移動通信端末の設定情報が利用者情報に対応付けて登録されているデータベースから、移動通信端末に挿入された利用者識別媒体の利用者情報に対応付けて登録された設定情報を読み出す情報読出ステップと、を有することを特徴とする。
【０００８】
これらの発明では、移動通信端末と利用者識別媒体とのペアリングが変わった場合には、移動通信端末の設定情報が利用者情報に対応付けて登録されたデータベースから、利用者情報に対応付けられた設定情報を読み出す。このように、利用者識別媒体を別の移動通信端末に挿入した場合は、移動通信端末が、ネットワークに接続されたデータベースから利用者情報に対応付けられた設定情報を読み出すため、例えば新規の移動通信端末に変更した場合など、旧移動通信端末に記憶されていた設定情報を、容易に新規の移動通信端末に移し替えることができ、利用者の利便性を向上させることができる。
【０００９】
この場合、上記ペアリング判定部は、利用者識別媒体に登録されている移動通信端末を特定する移動通信端末情報と利用者識別媒体が挿入された移動通信端末の移動通信端末情報とを比較し、これらの移動通信端末情報が異なる場合に、ペアリングが変わったと判定することが好ましい。この発明によれば、利用者識別媒体に移動通信端末情報を登録しておくことで、登録された移動通信端末情報と利用者識別媒体が挿入された移動通信端末の移動通信端末情報とを比較することができ、利用者識別媒体と移動通信端末とのペアリングが変更されたか否かを正確に判定することができる。
【００１０】
また、上記ペアリング判定部は、移動通信端末に登録されている利用者情報と移動通信端末に挿入された利用者識別媒体の利用者情報とを比較し、これらの利用者情報が異なる場合に、ペアリングが変わったと判定することが好ましい。この発明によれば、移動通信端末に利用者情報を登録しておくことで、登録された利用者情報と移動通信端末に挿入された利用者識別媒体の利用者情報とを比較することができ、利用者識別媒体と移動通信端末とのペアリングが変更されたか否かを正確に判定することができる。
【００１１】
また、上記利用者情報は、電話番号を含む情報であることが好ましく、また、上記移動通信端末情報は、製造番号を含む情報であることが好ましい。この発明によれば、利用者識別媒体を電話番号によって一意に特定することができると共に、移動通信端末を製造番号によって一意に特定することができるため、利用者識別媒体と移動通信端末のペアリングが変わったか否かを確実に判定することができると共に、旧移動通信端末に設定されている設定情報をデータベースから確実に読み出すことができる。
【００１２】
また、上記情報読出部は、利用者識別媒体が挿入される移動通信端末の機種が変わった場合、設定情報を、利用者識別媒体が挿入されている移動通信端末のデータ形式に読み替えて読み出すことが好ましい。この発明によれば、設定情報は、利用者識別媒体が挿入されている移動通信端末の機種に対応したデータ形式に読み替えられて読み出されるため、データ形式の異なる機種の移動通信端末に変更した場合であっても、データ形式の相違を気にすることなく設定情報を移し替えることが可能となる。
【００１３】
本発明は、利用者を特定する利用者情報を記憶する利用者識別媒体が挿入可能な移動通信端末と、移動通信端末と通信可能なネットワークに接続されたサーバとを有する情報通信システムにおいて、移動通信端末は、移動通信端末に利用者識別媒体が挿入されると、利用者情報及び移動通信端末情報を、サーバに送信する情報送信部と、を有し、サーバは、移動通信端末と通信可能なネットワークに接続されて移動通信端末の設定情報が利用者情報に対応付けて登録されているデータベースと、移動通信端末の情報送信部から送信されてくる利用者情報及び移動通信端末情報と、データベースに登録されている利用者情報及び移動通信端末情報とを用いて、移動通信端末と利用者識別媒体とのペアリングが変わったか否かを判定するペアリング判定部と、ペアリング判定部でペアリングが変わったと判定した場合、利用者情報に対応付けて登録されている設定情報をデータベースから読み出す情報読出部と、情報読出部で読み出した設定情報を移動通信端末に送信する設定情報送信部と、を有することを特徴とする。
【００１４】
この発明では、サーバは、移動通信端末から送信されてきた情報とデータベースに登録された情報とを用いて、移動通信端末と利用者識別媒体とのペアリングを判定する。そして、サーバは、このペアリングが変わったと判定すると、ネットワークに接続されたデータベースから利用者情報に対応付けられて登録された設定情報を読み出して、移動通信端末に送信する。このように、利用者識別媒体を別の移動通信端末に挿入した場合は、サーバから利用者情報に対応付けられた設定情報が移動通信端末に送信されるため、例えば新規の移動通信端末に変更した場合など、旧移動通信端末に記憶されていた設定情報を、容易に新規の移動通信端末に移し替えることができ、利用者の利便性を向上させることができる。
【発明の効果】
【００１５】
本発明に係る移動通信端末、情報通信方法および情報通信システムによれば、容易に設定情報を移し替えることができ、利用者の利便性を向上することができる。
【発明を実施するための最良の形態】
【００１６】
以下、本発明に係る移動通信端末、情報通信方法および情報通信システムの実施形態を図面に基づき説明する。なお、各図において、同一要素には同一符号を付して重複する説明を省略する。
【００１７】
図１は、第１の実施形態における情報通信システムの構成を例示する図である。図１に示すように、情報通信システム３は、携帯電話機１と、ＳＩＭカード２と、データベース４とを有する。
【００１８】
携帯電話機１は、自機が在圏する無線エリアをカバーする基地局（不図示）と無線通信を行い、通話サービスあるいはパケット通信サービスを受ける移動通信端末である。この携帯電話機１は、無線通信手段を実現するための電話機の機能が設けられており、電話番号が設定されたＳＩＭカード２が挿入されることで、無線通信が可能となる。
【００１９】
携帯電話機１には、製造時など出荷される前に、携帯電話機を一意に特定するための製造番号や携帯電話機の機種を特定するための機種情報などの携帯電話機情報が記憶されている。また、携帯電話機１には、電話帳、画像・音声ファイルなどのデータや携帯電話機１の各種機能を設定する機能設定情報など、利用者が携帯電話機１に設定記憶させる設定情報が記憶されている。
【００２０】
なお、本実施形態においては、移動体通信端末の具体例として携帯電話機１を用いて説明しているが、移動体通信端末の具体例はこれに限られず、例えば、ＳＩＭカードが挿入される移動体通信端末であれば如何なる端末でもよい。
【００２１】
ＳＩＭカード２は、ＳＩＭカード情報として、それぞれ固有の電話番号が設定されていると共に、携帯電話機１を機能させるための各種情報が記憶されている。そして、ＳＩＭカード２を携帯電話機１に挿入することで、携帯電話機１の無線通信が可能となる。また、ＳＩＭカード２は、携帯電話機１に対して交換可能になっており、例えば、携帯電話機を新規の携帯電話機に変更する場合、新規の携帯電話機にＳＩＭカード２を差し替えることで、電話番号を変えることなく、容易に新規の携帯電話機を機能させることができる。また、ＳＩＭカード２には、挿入される携帯電話機１の製造番号および機種情報を記憶する記憶部が設けられており、携帯電話機１によって、携帯電話機１の製造番号および機種情報が書込み読出し可能になっている。
【００２２】
データベース４は、携帯電話機１と通信可能なネットワークに接続された記憶装置により構成されている。このデータベース４は、電話番号に対応付けて製造番号、機種情報及び設定情報が登録された。なお、データベース４を構成する記憶装置は、例えば、ネットワークに直接的に接続される場合やネットワークに接続されたサーバの一部として構成される場合などがある。
【００２３】
図２は、携帯電話機１の機能構成を例示する図である。図２に示すように、携帯電話機１は、機能的には、初期設定部１１と、情報登録部１２と、ＳＩＭカード挿入検出部１３と、ペアリング判定部１４と、情報読出部１５と、情報設定部１６とを備える。
【００２４】
図３は、携帯電話機１のハードウェア構成を例示する図である。図３に示すように、携帯電話機１は、物理的には、ＣＰＵ１０１と、ＲＯＭ１０２と、ＲＡＭ１０３と、通信装置１０４と、ＳＩＭカード接続部１０５と、入力デバイスであるキー操作部１０６と、出力デバイスであるディスプレイ１０７とを含んで構成されており、所定のコンピュータソフトウェアをインストールすることによって図２に示す各機能要素の機能が実現される。
【００２５】
図４は、ＳＩＭカード２のハードウェア構成を例示する図である。図４に示すように、ＳＩＭカード２は、物理的には、ＣＰＵ２０１と、ＲＯＭ２０２と、ＲＡＭ２０３と、携帯電話機接続部２０４とを含んで構成されている。
【００２６】
以下、図２を参照して、携帯電話機１の各機能要素について詳細に説明する。
【００２７】
初期設定部１１は、初期設定としてＳＩＭカード２とペアリングを行う携帯電話機１を登録するものである。具体的に説明すると、初期設定部１１は、携帯電話機１に挿入されたＳＩＭカード２に携帯電話機の製造番号及び機種情報が登録されていない場合に、携帯電話機１の初期設定として、携帯電話機１から製造番号及び機種情報を読み出してＳＩＭカード２に登録する。なお、一旦、製造番号及び機種情報を登録した後は、登録した製造番号及び機種情報を変更できないようにするのが望ましいが、利用者により適宜変更可能としてもよい。
【００２８】
情報登録部１２は、初期設定部１１でＳＩＭカード２に携帯電話機１の製造番号及び機種情報が登録された後、利用者が携帯電話機１に記憶された設定情報を登録しておきたい場合に、この設定情報をデータベース４に登録するものである。具体的に説明すると、情報登録部１２は、利用者からの指示を受けて、携帯電話機１に記憶された自機の製造番号、機種情報及び設定情報を読み出し、ＳＩＭカード２に設定された電話番号を読み出す。そして、情報登録部１２は、ＳＩＭカード２から読み出した電話番号に対応付けて、携帯電話機１から読み出した製造番号、機種情報及び設定情報をデータベース４に登録する。なお、本実施形態では、利用者の指示に基づき、情報登録部１２が各情報を読み出してデータベース４に登録するが、例えば、携帯電話機１に設定したタイミングで、自動的に各情報を読み出してデータベース４に登録しても良い。
【００２９】
ＳＩＭカード挿入検出部１３は、携帯電話機１にＳＩＭカード２が挿入されたことを検出する。具体的に説明すると、ＳＩＭカード挿入検出部１３は、電気的手段または機械的手段により、ＳＩＭカード接続部１０５にＳＩＭカード２が挿入されたことを検出することにより行う。電気的手段による検出は、例えば、ＳＩＭカード接続部１０５の端子が終端したか否かを監視することで実現でき、機械的手段による検出は、例えば、ＳＩＭカード２が挿入されると傾倒するレバーをＳＩＭカード接続部１０５周辺部に配置しておき、このレバーの傾倒状況を監視することで実現できる。
【００３０】
ペアリング判定部１４は、初期設定として登録されたＳＩＭカード２と携帯電話機１とのペアリングに対して、ＳＩＭカード２とこのＳＩＭカード２が挿入された携帯電話機１とのペアリングが変わったか否かを判定するものである。具体的に説明すると、ペアリング判定部１４は、ＳＩＭカード挿入検出部１３において携帯電話機１にＳＩＭカード２が挿入されたことを検出すると、携帯電話機１に挿入されたＳＩＭカード２に登録された製造番号を読み出すと共に、携帯電話機１に記憶された製造番号を読み出す。そして、ペアリング判定部１４は、ＳＩＭカード２に登録された製造番号と、携帯電話機１から読み出した製造番号とを比較し、これらの製造番号が一致するか否かを判断する。その結果、ペアリング判定部１４は、これらの製造番号が一致すると判断する場合は、ペアリングは変わっていないと判定し、これらの製造番号が異なると判断する場合は、ペアリングが変わったと判定する。なお、ペアリングが変わったと判定する場合とは、特定のＳＩＭカード２を基準として、このＳＩＭカード２が挿入される携帯電話機が変更された場合となる。
【００３１】
情報読出部１５は、電話番号に基づいて、データベース４に登録された設定情報を読み出すものである。具体的に説明すると、情報読出部１５は、ペアリング判定部１４においてペアリングが変わったと判定した場合に、携帯電話機１に挿入されたＳＩＭカード２から電話番号を読み出し、このＳＩＭカード２から読み出した電話番号に対応付けて登録された製造番号、機種情報及び設定情報をデータベース４から読み出す。
【００３２】
そして、情報読出部１５は、ＳＩＭカード２に登録された機種情報を読み出すと共に携帯電話機１から機種情報を読み出し、このデータベース４に登録された機種情報と携帯電話機１から読み出した機種情報とが一致するか否かを判定する。その結果、情報読出部１５は、これらの機種情報が異なると判定される場合は、データベース４から読み出した設定情報を、携帯電話機１から読み出した機種情報に対応する機種のデータ形式に読み替える。なお、携帯電話機１から読み出した機種情報に対応する機種のデータ形式への読み替えは、必ずしも情報読出部１５が実行する必要は無く、例えば、データ形式を読み替える読み替え部（不図示）が実行するようにしても良い。
【００３３】
情報設定部１６は、データベース４から読み出された設定情報、又はデータ形式が読み替えられた設定情報を携帯電話機１に設定する。具体的に説明すると、情報設定部１６は、利用者が設定情報を設定すると指示した場合は、情報読出部１５においてデータベース４から読み出された設定情報、又は情報読出部１５において読み出され読み替えられた設定情報を携帯電話機１に設定する。一方、情報設定部１６は、利用者が設定情報を設定しないと指示した場合は、上記の設定情報を携帯電話機１に設定することなく消去する。
【００３４】
次に、図５〜１０を参照して、第１の実施形態における携帯電話機１の動作について説明する。図５は、ＳＩＭカードが挿入された際の携帯電話機の処理動作を説明するためのフローチャートである。
【００３５】
まず、携帯電話機１の初期設定部１１は、後述する初期設定処理を実行する（ステップＳ１）。次に、携帯電話機１の情報登録部１２は、後述する情報登録処理を実行する（ステップＳ２）。
【００３６】
その後、携帯電話機１のＳＩＭカード挿入検出部１３は、携帯電話機１にＳＩＭカード２が挿入されたか否かを判定する（ステップＳ３）。この判定がＮＯである場合（ステップＳ３：ＮＯ）に、携帯電話機１は、処理を終了する。
【００３７】
一方、上述したステップＳ３の判定において、携帯電話機１にＳＩＭカード２が挿入されたと判定した場合（ステップＳ３：ＹＥＳ）に、携帯電話機１は、ステップＳ４に進む。
【００３８】
ステップＳ４において、携帯電話機１のペアリング判定部１４は、後述するペアリング判定処理を実行し（ステップＳ４）、ＳＩＭカード２と携帯電話機１とのペアリングが変わったか否かを判定する（ステップＳ５）。この判定がＮＯである場合（ステップＳ５：ＮＯ）に、携帯電話機１は、処理を終了する。
【００３９】
一方、上述したステップＳ５の判定において、ＳＩＭカード２と携帯電話機１とのペアリングが変わったと判定した場合（ステップＳ５：ＹＥＳ）に、携帯電話機１は、ステップＳ６に進む。
【００４０】
ステップＳ６において、携帯電話機１の情報読出部１５は、後述する情報読出処理を実行する（ステップＳ６）。次に、携帯電話機１の情報設定部１６は、後述する情報設定処理を実行し（ステップＳ７）、携帯電話機１の処理を終了する。
【００４１】
次に、図６を参照して、上述した初期設定処理の動作について詳細に説明する。
【００４２】
まず、初期設定部１１は、ＳＩＭカード２に製造番号及び機種情報が登録されたか否かを判定する（ステップＳ１１１）。この判定がＹＥＳの場合（ステップＳ１１１：ＹＥＳ）に、初期設定部１１は、初期設定処理を終了する。
【００４３】
一方、上述したステップＳ１１１の判定において、ＳＩＭカード２に携帯電話機１の製造番号が登録されていないと判定した場合（ステップＳ１１１：ＮＯ）に、初期設定部１１は、ステップＳ１１２に進む。
【００４４】
ステップＳ１１２において、初期設定部１１は、携帯電話機１から自機の製造番号及び機種情報を読み出す（ステップＳ１１２）。次に、初期設定部１１は、携帯電話機１から読み出した製造番号及び機種情報をＳＩＭカードに登録し（ステップＳ１１３）、初期設定処理を終了する。
【００４５】
次に、図７を参照して、上述した情報登録処理の動作について詳細に説明する。
【００４６】
まず、情報登録部１２は、利用者によるキー操作部１０６からのキー入力情報に基づき、設定情報を登録するのか否かを判定する（ステップＳ２１１）。この判定がＮＯの場合（ステップＳ２１１：ＮＯ）に、情報登録部１２は、情報登録処理を終了する。
【００４７】
一方、上述したステップＳ２１１の判定において、設定情報を登録すると判定した場合（ステップＳ２１１：ＹＥＳ）に、情報登録部１２は、携帯電話機１から、自機の製造番号、機種情報及び設定情報を読み出す（ステップＳ２１２）。次に、情報登録部１２は、携帯電話機１に挿入されているＳＩＭカード２から、電話番号を読み出す（ステップＳ２１３）。
【００４８】
次に、情報登録部１２は、ＳＩＭカード２から読み出した電話番号に対応付けて、携帯電話機１から読み出した製造番号、機種情報及び設定情報をデータベース４に登録し（ステップＳ２１４）、情報登録処理を終了する。
【００４９】
次に、図８を参照して、上述したペアリング判定処理の動作について詳細に説明する。
【００５０】
まず、ペアリング判定部１４は、ＳＩＭカード２に登録された製造番号を読み出す（ステップＳ４１１）。次に、ペアリング判定部１４は、携帯電話機１から自機の製造番号を読み出す（ステップＳ４１２）。
【００５１】
次に、ペアリング判定部１４は、ＳＩＭカード２に登録された製造番号と、携帯電話機１から読み出した製造番号とが異なるか否かを判定する（ステップＳ４１３）。この判定がＮＯの場合（ステップＳ４１３：ＮＯ）に、ペアリング判定部１４は、ＳＩＭカード２と携帯電話機１とのペアリングが変わっていないと判断し（ステップＳ４１５）、ペアリング判定処理を終了する。
【００５２】
一方、上述したステップＳ４１３の判定において、ＳＩＭカード２に登録された製造番号と、携帯電話機１から読み出した製造番号とが異なると判定した場合（ステップＳ４１３：ＹＥＳ）に、ペアリング判定部１４は、ＳＩＭカード２と携帯電話機１とのペアリングが変わったと判断し（ステップＳ４１４）、ペアリング判定処理を終了する。
【００５３】
次に、図９を参照して、上述した情報読出処理の動作について詳細に説明する。
【００５４】
まず、情報読出部１５は、携帯電話機１に挿入されているＳＩＭカード２から電話番号を読み出す（ステップＳ６１１）。
【００５５】
次に、情報読出部１５は、データベース４から、ＳＩＭカード２から読み出した電話番号に対応付けて登録された携帯電話機の製造番号、機種情報及び設定情報を読み出す（ステップＳ６１２）。
【００５６】
次に、情報読出部１５は、ＳＩＭカード２に登録されている機種情報を読み出す（ステップＳ６１３）。次に、情報読出部１５は、携帯電話機１から、自機の機種情報を読み出す（ステップＳ６１４）。次に、情報読出部１５は、データベース４に登録された機種情報と、携帯電話機１から読み出した機種情報とが一致するか否かを判定する（ステップＳ６１５）。この判定がＮＯの場合（ステップＳ６１５：ＮＯ）に、情報読出部１５は、情報読出処理を終了する。
【００５７】
一方、上述したステップＳ６１５において、データベース４に登録された機種情報と、携帯電話機１から読み出した機種情報とが一致する場合（ステップＳ６１５：ＹＥＳ）に、情報読出部１５は、データベース４から読み出した設定情報を、携帯電話機１から読み出した機種情報に対応する機種のデータ形式に読み替え（ステップＳ６１６）、情報読出処理を終了する。
【００５８】
次に、図１０を参照して、上述した情報設定処理の動作について詳細に説明する。
【００５９】
まず、情報設定部１６は、利用者によるキー操作部１０６からのキー入力情報に基づき、設定情報を携帯電話機１に設定するのか否かを判定する（ステップＳ７１１）。この判定がＹＥＳの場合（ステップＳ７１１：ＹＥＳ）に、情報設定部１６は、情報読み出し処理において読み出された設定情報、又は上述した情報読み出し処理において読み出され読み替えられた設定情報を携帯電話機１に設定し（ステップＳ７１２）、情報設定処理を終了する。
【００６０】
一方、上述したステップＳ７１１の判定において、設定情報を携帯電話機１に設定しないと判定した場合（ステップＳ７１１：ＮＯ）に、情報設定部１６は、上述した情報読み出し処理においてデータベース４から読み出された設定情報、又は上述した情報読み出し処理において読み出され読み替えられた設定情報を携帯電話機１に設定することなく消去し（ステップＳ７１３）、情報設定処理を終了する。
【００６１】
以上説明したように、第１の実施形態に係る携帯電話機１、情報通信方法および情報通信システム３によれば、ＳＩＭカード２を別の携帯電話機１に挿入した場合であって、携帯電話機１とＳＩＭカード２とのペアリングが変わった場合には、携帯電話機１と通信可能なネットワークに接続されたデータベース４から、ＳＩＭカード２に記憶された電話番号に対応付けられた設定情報を読み出し、この設定情報を携帯電話機１に設定するため、例えば新規の携帯電話機に変更した場合など、旧携帯電話機に記憶されていた設定情報を、容易に新規の携帯電話機に移し替えることができ、利用者の利便性を向上させることができる。
【００６２】
また、ＳＩＭカード２に携帯電話機の製造番号を登録しておくことで、ＳＩＭカード２に登録された製造番号とＳＩＭカード２が挿入された携帯電話機１に記憶された製造番号とを比較することで、ＳＩＭカード２と携帯電話機１とのペアリングが変更されたか否かを正確に判定することができる。
【００６３】
更に、ＳＩＭカード２に携帯電話機の機種情報を登録し、ＳＩＭカード２に登録された機種情報とＳＩＭカード２が挿入された携帯電話機１に記憶された機種情報とを比較することで、ＳＩＭカード２と携帯電話機１とのペアリングが変更された際に、携帯電話機１の機種が変わったか否かを判定することができる。その際、機種が変わったと判定した場合は、データベース４から読み出した設定情報を、現在の携帯電話機１の機種のデータ形式に読み替えるため、より簡易に設定情報を移し替えることができる。
【００６４】
次に、第２の実施形態における携帯電話機、情報通信方法および情報通信システムについて説明する。第２の実施形態は、基本的に第１の実施形態と同様である。第２の実施形態が第１の実施形態と異なる点は、携帯電話機における初期設定処理とペアリング判定処理とが異なる点のみである。
【００６５】
次に、図１１を参照して、第２実施形態における初期設定処理の動作について詳細に説明する。
【００６６】
まず、初期設定部１１は、携帯電話機１に電話番号及び機種情報が登録されたか否かを判定する（ステップＳ１２１）。この判定がＹＥＳの場合（ステップＳ１２１：ＹＥＳ）に、初期設定部１１は、初期設定処理を終了する。
【００６７】
一方、上述したステップＳ１２１の判定において、携帯電話機１に電話番号及び機種情報が登録されていないと判定した場合（ステップＳ１２１：ＮＯ）に、初期設定部１１は、ステップＳ１２３に進む。
【００６８】
ステップＳ１２３において、初期設定部１１は、ＳＩＭカード２から電話番号及び機種情報を読み出す（ステップＳ１２２）。次に、初期設定部１１は、ＳＩＭカード２から読み出した電話番号及び機種情報を携帯電話機１に登録し（ステップＳ１２３）、初期設定処理を終了する。
【００６９】
次に、図１２を参照して、第２実施形態におけるペアリング判定処理の動作について詳細に説明する。
【００７０】
まず、ペアリング判定部１４は、携帯電話機１に登録された電話番号を読み出す（ステップＳ４２１）。次に、ペアリング判定部１４は、ＳＩＭカード２から電話番号を読み出す（ステップＳ４２２）。
【００７１】
次に、ペアリング判定部１４は、携帯電話機１に登録された電話番号と、ＳＩＭカード２から読み出した電話番号とが異なるか否かを判定する（ステップＳ４２３）。この判定がＮＯの場合（ステップＳ４２３：ＮＯ）に、ペアリング判定部１４は、ＳＩＭカード２と携帯電話機１とのペアリングが変わっていないと判断し（ステップＳ４２５）、ペアリング判定処理を終了する。
【００７２】
一方、上述したステップＳ４２３の判定において、携帯電話機１に登録された電話番号と、ＳＩＭカード２から読み出した電話番号とが異なると判定した場合（ステップＳ４２３：ＹＥＳ）に、ペアリング判定部１４は、ＳＩＭカード２と携帯電話機１とのペアリングが変わったと判断し（ステップＳ４２４）、ペアリング判定処理を終了する。
【００７３】
以上説明したように、第２の実施形態に係る携帯電話機１、情報通信方法および情報通信システム３によれば、携帯電話機１に電話番号を登録しておくことで、携帯電話機１に登録された電話番号と、携帯電話機１に挿入されているＳＩＭカード２に設定された電話番号とを比較することで、ＳＩＭカード２と携帯電話機１とのペアリングが変更されたか否かを正確に判定することができる。
【００７４】
次に、第３の実施形態における携帯電話機、情報通信方法および情報通信システムについて説明する。
【００７５】
図１３は、第３の実施形態における情報通信システムの構成を例示する図である。図１３に示すように、情報通信システム５は、携帯電話機６と、ＳＩＭカード７と、サーバ８と、データベース４とを有する。
【００７６】
携帯電話機６は、基本的に上述した携帯電話機１と同様である。携帯電話機６が携帯電話機１と異なる点は、機能構成において、初期設定部１１、情報登録部１２、ペアリング判定部１４、情報読出部１５が無くなり、新たに、情報送信登録部、情報送信部を有する点のみである。
【００７７】
ＳＩＭカード７は、基本的に上述したＳＩＭカード２と同様である。ＳＩＭカード７がＳＩＭカード２と異なる点は、携帯電話機６の製造番号及び機種情報を記憶しない点のみである。
【００７８】
サーバ８は、携帯電話機６と通信可能なネットワークに接続されており、このネットワークに接続されたデータベース４に対して、各種情報を書込み読出し可能となっている。そして、サーバ８は、携帯電話機６とは独立して、各種の処理を行うことが可能となっている。
【００７９】
図１４は、携帯電話機６の機能構成を例示する図である。図１４に示すように、携帯電話機６は、機能的には、情報送信登録部６１と、ＳＩＭカード挿入検出部６２と、情報送信部６３と、情報設定部６４とを備える。なお、ＳＩＭカード挿入検出部６２及び情報設定部６４は、それぞれ上述したＳＩＭカード挿入検出部１３及び情報設定部１６と同様である。
【００８０】
図１５は、サーバ８の機能構成を例示する図である。図１５に示すように、サーバ８は、機能的には、情報登録部８１と、ペアリング判定部８２と、情報読出部８３と、設定情報送信部８４とを備える。
【００８１】
以下、図１４を参照して、携帯電話機６の各機能要素について詳細に説明する。
【００８２】
情報送信登録部６１は、ＳＩＭカード７の電話番号と、携帯電話機６の製造番号、機種情報及び設定情報とを、サーバ８に送信するものである。具体的に説明すると、情報送信登録部６１は、利用者からの指示を受けて、携帯電話機６に記憶された自機の製造番号、機種情報及び設定情報を読み出し、ＳＩＭカード７に設定された電話番号を読み出す。そして、情報送信登録部６１は、これらの読み出した電話番号、製造番号、機種情報及び設定情報を、ネットワークを経由してサーバ８に送信する。なお、本実施形態では、利用者の指示に基づき、情報送信登録部６１が各情報を読み出してサーバ８に送信するが、例えば、携帯電話機７に設定したタイミングや、サーバ８から要求を受けたタイミングで、自動的に各情報を読み出してサーバ８に送信しても良い。
【００８３】
情報送信部６３は、ＳＩＭカード７が挿入されたことを示す挿入検出情報と、ＳＩＭカード７に設定された電話番号と、携帯電話機６に記憶された製造番号及び機種情報とをサーバ８に送信するものである。具体的に説明すると、ＳＩＭカード挿入検出部６２において携帯電話機６にＳＩＭカード７が挿入されたことを検出すると、情報送信部６３は、挿入検出信号を生成し、携帯電話機６に挿入されたＳＩＭカード７に設定された電話番号を読み出すと共に、携帯電話機６に記憶された製造番号及び機種情報を読み出す。そして、情報送信部６３は、生成した挿入検出情報と、読み出した電話番号、製造番号及び機種情報とをサーバ８に送信する。
【００８４】
以下、図１５を参照して、サーバ８の各機能要素について詳細に説明する。
【００８５】
情報登録部８１は、電話番号に対応付けて、携帯電話機６の製造番号、機種情報及び設定情報を、データベース４に登録するものである。具体的に説明すると、情報登録部８１は、携帯電話機６から受信した電話番号に対応付けて、この電話番号と共に携帯電話機６から受信した製造番号、機種情報及び設定情報をデータベース４に登録する。
【００８６】
ペアリング判定部８２は、データベース４に登録されたＳＩＭカード７と携帯電話機６とのペアリングに対して、ＳＩＭカード７とこのＳＩＭカード７が挿入された携帯電話機６とのペアリングが変わったか否かを判定するものである。具体的に説明すると、ペアリング判定部８２は、携帯電話機６から挿入検出情報を受信すると、この挿入検出情報と共に携帯電話機６から受信した電話番号を基準として、この電話番号に対応付けてデータベース４に登録された製造番号読み出す。そして、ペアリング判定部８２は、データベース４に登録された製造番号と、携帯電話機１から受信した製造番号とを比較し、これらの製造番号が一致するか否かを判断する。その結果、ペアリング判定部１４は、これらの製造番号が一致すると判断する場合は、ペアリングは変わっていないと判定し、これらの製造番号が異なると判断する場合は、ペアリングが変わったと判定する。
【００８７】
情報読出部８３は、電話番号に基づいて、データベース４に登録された設定情報を読み出すものである。具体的に説明すると、ペアリング判定部８２においてペアリングが変わったと判定した場合に、挿入検出情報と共に携帯電話機６から受信した電話番号に対応付けられて登録された機種情報及び設定情報をデータベース４から読み出す。そして、情報読出部８３は、データベース４に登録された機種情報と、携帯電話機６から受信した機種情報とを比較し、これらの機種情報が異なると判断した場合は、データベース４から読み出した設定情報を、携帯電話機６から受信した機種情報に対応する機種のデータ形式に読み替える。
【００８８】
設定情報送信部８４は、情報読出部８３によりデータベース４から読み出された設定情報、又は情報読出部８３により読み替えられた設定情報を携帯電話機６に送信する。
【００８９】
次に、図１６を参照して、第３の実施形態における情報通信システム５の動作について説明する。図１６は、携帯電話機６にＳＩＭカード７が挿入された際の情報通信システム５の処理を説明するためのフローチャートである。
【００９０】
まず、携帯電話機６の情報送信登録部６１は、ＳＩＭカード７から電話番号を読み出すと共に、携帯電話機６から自機の製造番号、機種情報及び設定情報を読み出し、この読み出した電話番号、製造番号、機種情報及び設定情報をサーバ８に送信する（ステップＳ１０）。
【００９１】
次に、サーバ８の情報登録部８１は、携帯電話機６から受信した電話番号に対応付けて、この電話番号と共に携帯電話機６から受信した製造番号、機種情報及び設定情報をデータベース４に登録する（ステップＳ１１）。
【００９２】
その後、携帯電話機６のＳＩＭカード挿入検出部６２は、携帯電話機６にＳＩＭカード７が挿入されたか否かを判定する（ステップＳ１２）。この判定がＮＯである場合（ステップＳ１２：ＮＯ）に、情報通信システム５は、処理を終了する。
【００９３】
一方、上述したステップＳ１２の判定において、携帯電話機６にＳＩＭカード７が挿入されたと判定した場合（ステップＳ１２：ＹＥＳ）に、携帯電話機６は、ステップＳ１３に進む。
【００９４】
ステップＳ１３において、携帯電話機６の情報送信部６３は、挿入検出情報を生成し、携帯電話機６に挿入されたＳＩＭカード７に設定された電話番号を読み出すと共に、携帯電話機６に記憶された製造番号、機種情報及び設定情報とを読み出し、これら挿入検出情報、電話番号、製造番号及び機種情報をサーバに送信する（ステップＳ１３）。
【００９５】
次に、サーバ８のペアリング判定部８２は、携帯電話機６から挿入検出情報を受信すると、この挿入検出情報と共に携帯電話機６から受信した電話番号を基準として、この電話番号に対応付けて登録された製造番号をデータベース４から読み出す（ステップＳ１４）。
【００９６】
次に、サーバ８のペアリング判定部８２は、データベース４に登録された製造番号と、携帯電話機６から受信した製造番号とが異なるか否かを判定する（ステップＳ１５）。この判定がＮＯの場合（ステップＳ１５：ＮＯ）に、ペアリング判定部８２は、ＳＩＭカード７と携帯電話機６とのペアリングが変わっていないと判断し（ステップＳ１６）、情報通信システム５の処理を終了する。
【００９７】
一方、上述したステップＳ１５の判定において、データベース４に登録された製造番号と、携帯電話機６から受信した製造番号とが異なると判定した場合（ステップＳ１５：ＹＥＳ）に、ペアリング判定部８２は、ＳＩＭカード７と携帯電話機６とのペアリングが変わったと判断し（ステップＳ１７）、ステップＳ１８に進む。
【００９８】
ステップＳ１８において、サーバ８の情報読出部８３は、データベース４から、挿入検出情報と共に携帯電話機６から受信した電話番号に対応付けられて登録された機種情報及び設定情報を読み出す（ステップＳ１８）。次に、サーバ８の情報読出部８３は、データベース４に登録された機種情報と、携帯電話機６から受信した機種情報とが異なるか否かを判定する（ステップＳ１９）。この判定がＮＯの場合（ステップＳ１９：ＮＯ）に、情報読出部８３は、後述するステップＳ２１に進む。
【００９９】
一方、上述したステップＳ１９の判定において、データベース４に登録された機種情報と、携帯電話機６から受信した機種情報とが異なると判定した場合（ステップＳ１９：ＹＥＳ）に、情報読出部８３は、データベース４から読み出した設定情報を、携帯電話機６から受信した機種情報に対応する機種のデータ形式に読み替えて（ステップＳ２０）、ステップＳ２１に進む。
【０１００】
ステップＳ２１において、サーバ８の設定情報送信部８４は、情報読出部８３において読み出された設定情報、又は情報読出部８３において読み出され読み替えられた設定情報を携帯電話機６に送信する（ステップＳ２１）。
【０１０１】
次に、携帯電話機６の情報設定部６４は、サーバ８から受信した設定情報を携帯電話機６に設定し（ステップＳ２１）、情報通信システム５の処理を終了する。
【０１０２】
以上説明したように、第３の実施形態に係る携帯電話機６、情報通信方法および情報通信システム５によれば、ＳＩＭカード７を別の携帯電話機６に差し替えると、このＳＩＭカード７に設定された電話番号に対応付けて登録された設定情報がサーバ８から移動通信端末に送信されるため、例えば新規の移動通信端末に変更した場合など、旧移動通信端末に記憶されていた設定情報を、容易に新規の移動通信端末に移し替えることができ、利用者の利便性を向上させることができる。
【０１０３】
更に、第３の実施形態に係る携帯電話機６、情報通信方法および情報通信システム５では、携帯電話機６が、情報送信登録部６１が電話番号、製造番号、機種情報および設定情報をサーバ８に送信した後、情報送信部６３が挿入検出情報と共に電話番号、製造番号、機種情報をサーバ８に送信すると、サーバ８において、ＳＩＭカード７と携帯電話機６とのペアリングが変わったか否かを判定し、このペアリングが変わったと判定した場合は、この電話番号に対応付けられてデータベース４に登録された設定情報を携帯電話機６に送信する。このため、携帯電話機６において、ペアリングの変更有無の判定や、データベース４への情報登録処理を行う必要がなくなるため、携帯電話機６の省電力化を図ることができる。
【０１０４】
なお、第１及び第２の実施形態では携帯電話機にペアリング判定部を有し、第３の実施形態ではサーバにペアリング判定部を有し、それぞれ携帯電話機及びサーバにおいてペアリングが変更されたか否かの判定を行うように説明したが、例えば、ＳＩＭカードにペアリング判定部を新たに有し、ＳＩＭカードにおいてペアリングが変更されたか否かの判定を行うようにしても良い。
【０１０５】
また、第３の実施形態では、サーバ８は、データベース４に登録された機種情報と、携帯電話機６から受信した機種情報とを対比することにより、ＳＩＭカード７が挿入される携帯電話機６の機種が変更されたと判定し、データベース４から読み出す設定情報を読み替えるように説明したが、データベース４等に携帯電話機の製造番号と機種情報との対応表を保持しておくことで、サーバは、携帯電話機から製造番号を受信するだけで、ＳＩＭカードが挿入される携帯電話機の機種が変更されたか否かを判定することができる。つまり、サーバは、携帯電話機から製造番号を受信すると、この受信した製造番号に対応付けられている機種情報をサーバの対応表から抽出し、この対応表から抽出した機種情報と、データベースに製造番号に対応付けられて登録されている機種情報とを対比することで、携帯電話機の機種が変更されたか否かを判定することができる。これにより、携帯電話機はサーバに機種情報を送信しなくても、サーバは携帯電話機の機種が変更になったか否かを判定することができ、携帯電話機とサーバとの間で送受するデータ量を削減することができる。
【０１０６】
また、上記実施形態では、ペアリング判定を行いデータベースから設定情報を読み出すのは、ＳＩＭカードが携帯電話に挿入されたことを契機として説明したが、これらの処理はいつ行ってもよく、例えば、携帯電話機から基地局などに対して位置情報を登録する際、この位置情報の登録を契機として処理を行うようにしてもよい。
【０１０７】
また、設定情報を携帯電話機から読み出した機種情報に対応する機種のデータ形式に読み替えは、必ずしも情報読出部１５が実行する必要は無く、例えば、新たにデータ形式を読み替える読み替え部を設け、この読み替え部により実行するようにしても良い。
【０１０８】
また、上記実施形態の各処理は、適宜ユーザーの承諾を得た後に実行するようにしても良い。
【図面の簡単な説明】
【０１０９】
【図１】第１の実施形態における情報通信システムの構成を例示する図である。
【図２】携帯電話機の機能構成を例示する図である。
【図３】携帯電話機のハードウェア構成を例示する図である。
【図４】ＳＩＭカードのハードウェア構成を例示する図である。
【図５】ＳＩＭカードが挿入された際の携帯電話機の処理動作を説明するためのフローチャートである。
【図６】初期設定処理の動作を説明するためのフローチャートである。
【図７】情報登録処理の動作を説明するためのフローチャートである。
【図８】ペアリング判定処理の動作を説明するためのフローチャートである。
【図９】情報読出処理の動作を説明するためのフローチャートである。
【図１０】情報設定処理の動作を説明するためのフローチャートである。
【図１１】第２の実施形態における初期設定処理の動作を説明するためのフローチャートである。
【図１２】第２の実施形態におけるペアリング判定処理の動作を説明するためのフローチャートである。
【図１３】第３の実施形態における情報通信システムの構成を例示する図である。
【図１４】携帯電話機の機能構成を例示する図である。
【図１５】サーバの機能構成を例示する図である。
【図１６】携帯電話機にＳＩＭカードが挿入された際の情報通信システムの処理を説明するためのフローチャートである。
【符号の説明】
【０１１０】
１，６・・・携帯電話機（移動通信端末）、２，７・・・ＳＩＭカード（利用者識別媒体）、３，５・・・情報通信システム、４・・・データベース、８・・・サーバ、１４・・・ペアリング判定部、１５・・・情報読出部、６１・・・情報送信登録部、６３・・・情報送信部、８１・・・情報登録部、８２・・・ペアリング判定部、８３・・・情報読出部、８４・・・設定情報送信部。
【図１】
2008206061.tif 000003
【図２】
2008206061.tif 000004
【図３】
2008206061.tif 000005
【図４】
2008206061.tif 000006
【図５】
2008206061.tif 000007
【図６】
2008206061.tif 000008
【図７】
2008206061.tif 000009
【図８】
2008206061.tif 000010
【図９】
2008206061.tif 000011
【図１０】
2008206061.tif 000012
【図１１】
2008206061.tif 000013
【図１２】
2008206061.tif 000014
【図１３】
2008206061.tif 000015
【図１４】
2008206061.tif 000016
【図１５】
2008206061.tif 000017
【図１６】
2008206061.tif 000018